【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
ａ．複数のガイドローラの上に載置された可撓性無端ベルトと、第１および第２の複数の所定の部分とを備える中間転写部材（ＩＴＭ）と、
ｂ．前記ＩＴＭの表面にインク画像を形成するように構成された画像形成ステーションと、
ｃ．前記インク画像が基板に転写されるインプレッションステーションへ向かって前記インク画像を搬送するために前記ＩＴＭの回転を駆動するためのコンベヤと、
ｄ．前記インプレッションステーションの下流かつ前記画像形成ステーションの上流に配置された、前記ＩＴＭ表面を処理液剤の層でコーティングするために構成された処理ステーションであって、
ｉ．前記処理液剤を前記ＩＴＭに塗布するためのアプリケータと、
ｉｉ．複数のブレードを備えるコーティング厚さ調整アセンブリであって、所望の前記処理剤の層のみを残すために、少なくとも一部の時間、前記ブレードの各１つがアクティブ位置にあるように構成されたコーティング厚さ調整アセンブリと、
ｉｉｉ．前記コーティング厚さ調整アセンブリに関連し、前記アクティブ位置にあるブレードを他のブレードと交換するためのブレード交換動作を行うために構成されたブレード交換機構と、
ｉｖ．前記ＩＴＭの前記第１の複数の所定の部分の１つが余剰除去位置を横断する時のみ前記ブレード交換動作が行われることを確実にするように前記ブレード交換機構を制御するためのブレード交換コントローラと
を備える処理ステーションと
を備える印刷システム。
【請求項２】
前記ブレード交換コントローラは、前記ＩＴＭの前記第１の複数の所定の部分の事前選択された１つが前記余剰除去位置を横断する時のみ前記ブレード交換動作を行うように前記ブレード交換機構を制御する、請求項１に記載の印刷システム。
【請求項３】
前記ブレード交換コントローラは更に、前記インプレッションステーションにおいてインク画像が基板シートに転写されている間、ブレード交換動作を行うことを避けるように前記ブレード交換機構を制御する、請求項１に記載の印刷システム。
【請求項４】
前記ブレード交換コントローラは、タイミング方式に従って前記ブレード交換機構を制御する、請求項１〜３のいずれか１項に記載の印刷システム。
【請求項５】
前記ブレード交換コントローラと通信するように構成された複数の入力デバイスを更に備え、前記ブレード交換コントローラは、入力デバイスから伝達されたＩＴＭパネル位置情報に従って前記ブレード交換機構を制御する、請求項１〜４のいずれか１項に記載の印刷システム。
【請求項６】
前記第２の複数の所定の部分は、（ｉ）インク画像領域を備える、前記ＩＴＭの部分、および（ｉｉ）シームを備える、前記ＩＴＭの部分を含む、請求項１〜５のいずれか１項に記載の印刷システム。
【請求項７】
ａ．前記コーティング厚さ調整アセンブリは、ブレードが径方向に伸長するブレードホルダを備え、
ｂ．前記ブレード交換機構は、モータを備え、
ｃ．前記ブレード交換動作は、前記コーティング厚さ調整アセンブリを回転させることを備える、
請求項１〜６のいずれか１項に記載の印刷システム。
【請求項８】
前記コーティング厚さ調整アセンブリおよび前記ブレード交換機構は、
ａ．ブレード交換動作の前の第１の時間において、第１のブレードのみが前記アクティブ位置にあり、
ｂ．ブレード交換動作中の第２の時間において、前記第１のブレードおよび第２のブレードの両方が前記アクティブ位置にあり、
ｃ．ブレード交換動作後の第３の時間において、前記第２のブレードのみが前記アクティブ位置にある
ように構成される、請求項１〜７のいずれか１項に記載の印刷システム。
【請求項９】
前記ブレード交換コントローラは、プログラム命令を含む非一時的コンピュータ可読媒体を備え、コンピュータシステムの１または複数のプロセッサによる前記プログラム命令の実行は、前記１または複数のプロセッサに、
ａ．前記ブレード交換機構に、前記ＩＴＭの前記第１の複数の所定の部分の１つが前記余剰除去位置を横断する時のみブレード交換動作を行わせること、および
ｂ．前記ブレード交換機構に、前記ＩＴＭの前記第２の複数の所定の部分の１つが前記余剰除去位置を横断する時にブレード交換動作を行うことを避けさせること
の少なくとも１つを実行させる、請求項１〜８のいずれか１項に記載の印刷システム。
【請求項１０】
ａ．複数のガイドローラの上に載置された可撓性無端ベルトと、第１および第２の複数の所定の部分とを備える中間転写部材（ＩＴＭ）と、
ｂ．前記ＩＴＭの表面にインク画像を形成するように構成された画像形成ステーションと、
ｃ．前記インク画像が基板に転写されるインプレッションステーションへ向かって前記インク画像を搬送するために前記ＩＴＭの回転を駆動するためのコンベヤと、
ｄ．前記インプレッションステーションの下流かつ前記画像形成ステーションの上流に配置された、前記ＩＴＭ表面を処理液剤の層でコーティングするために構成された処理ステーションであって、
ｉ．前記処理液剤を前記ＩＴＭに塗布するためのアプリケータと、
ｉｉ．複数のブレードを備えるコーティング厚さ調整アセンブリであって、所望の前記処理剤の層のみを残すために、少なくとも一部の時間、前記ブレードの各１つが、余剰液体を除去するためのアクティブ位置にあるように構成されたコーティング厚さ調整アセンブリと、
ｉｉｉ．前記コーティング厚さ調整アセンブリに関連し、前記アクティブ位置にあるブレードを他のブレードと交換するためのブレード交換動作を行うために構成されたブレード交換機構と、
ｉｖ．前記ＩＴＭの前記第２の複数の所定の部分の１つが余剰除去位置を横断する時にブレード交換動作を行うことを避けるように前記ブレード交換機構を制御するためのブレード交換コントローラと
を備える処理ステーションと
を備える印刷システム。
【請求項１１】
液滴堆積によって、回転する中間転写部材（ＩＴＭ）の表面にインク画像が形成され、インプレッションステーションへ向かって搬送され、基板に転写される印刷システムを動作させる方法であって、前記印刷システムは、ブレード交換機構およびブレード交換コントローラを含み、前記方法は、
ａ．前記インプレッションステーションの下流で、前記回転するＩＴＭの前記表面の一部分に過剰な処理液剤を塗布することと、
ｂ．過剰な処理液剤を有する前記ＩＴＭの前記部分を、余剰除去位置を通って搬送することであって、前記余剰除去位置で、複数のブレードの１つがアクティブ位置に存在することにより、余剰液体が除去されることと、
ｃ．制御機能に従ってブレード交換動作を行うことと
を備え、前記制御機能は、前記アクティブ位置にあるブレードと異なるブレードとの交換が、前記余剰除去位置を通って搬送されている前記ＩＴＭの前記部分が複数の所定の部分の１つである時のみ起こることを確実にするために、前記ブレード交換機構の前記動作を制御するブレード交換コントローラによって行われる、方法。
【請求項１２】
ａ．前記印刷システムは、複数の入力デバイスを更に備え、
ｂ．前記制御機能に従ってブレード交換動作を行うことは、
ｉ．１または複数の入力デバイスから位置情報およびＩＴＭ回転速度情報の少なくとも１つを受信することと、
ｉｉ．前記１または複数の入力デバイスから受信した前記位置情報およびＩＴＭ回転速度情報の少なくとも１つを用いて、前記ＩＴＭの部分が、前記ＩＴＭの複数の所定の部分の１つであるかを決定することと、
ｉｉｉ．前記決定に基づいて、前記ブレード交換機構によるブレード交換動作を開始することと
を備える、請求項１１に記載の方法。
【請求項１３】
前記制御機能に従ってブレード交換動作を行うことは、
ａ．前記ＩＴＭの部分が、ブレード交換動作を行うための制御機能規則を満たすかを決定することと、
ｂ．前記決定に基づいて、前記ブレード交換機構によるブレード交換動作を開始することと
を備える、請求項１１または１２に記載の方法。
【請求項１４】
前記ブレード交換コントローラは、前記余剰除去位置を通って搬送されている前記ＩＴＭの前記部分が、複数の所定の部分の事前選択された１つである場合のみ、前記ブレード交換動作を行うように前記ブレード交換機構を制御する、請求項１１〜１３のいずれか１項に記載の方法。
【請求項１５】
前記ブレード交換コントローラは更に、前記インプレッションステーションにおいてインク画像が基板シートに転写されている間、ブレード交換動作を行うことを避けるように前記ブレード交換機構を制御する、請求項１１〜１４のいずれか１項に記載の方法。
【請求項１６】
ａ．前記印刷システムは、前記複数のブレードの各々が径方向に伸長するシリンダまたは多角形シリンダを備えるコーティング厚さ調整アセンブリを含み、
ｂ．前記ブレード交換機構は、モータを備え、
ｃ．前記ブレード交換動作は、前記コーティング厚さ調整アセンブリを回転させることを備える、請求項１１〜１５のいずれか１項に記載の方法。